(57)【要約】【課題】オンリーワンの独創的な家具において安価に、自由度を高めたものであって、安価で自然感をもたらされた突板を使用した家具を提供することである。【解決手段】節を有する突板を貼った木製材料を前板に使用した家具の表面板、及び天板、及び側板に、０．１〜０．５ｍｍの厚さで、板面に節の大きさ１０〜７０ｍｍを、１個〜５個を有する突板を張り付けている化粧板を使用している節入り突板張り化粧板を使用した家具である。【選択図】図１
0003211279.tif 000002
【実用新案登録請求の範囲】
【請求項１】
節を有する突板を貼った木製材料を使用した家具の表面板、及び天板、及び側板に、０．１〜０．７ｍｍの厚さで、板面に節の大きさ１０〜７０ｍｍを、１個〜７個を有する突板を張り付けている化粧板を使用していることを特徴とする節入り突板張り化粧板を使用した家具。
【請求項２】
節入り突板を有する装飾性表装材である化粧板は、突板として濃厚色、又は自然素材の木質の質感をもつ模様で、褐色から黒褐色を呈するウォールナット、チーク、ローズウッド、カリン、チェリー、セドロマッチョ、ケヤキ、パイン、オークから選ばれた突板材料で、長さ５００〜２０００ｍｍの表面板を使用する突板材料を一連の連続的な面になって、表装材突板の表面積当たり１０〜７０ｍｍの大きさの節形状体を１〜２個／１０００ｃｍ２持っていることを特徴とする請求項１に記載の節入り突板張り化粧板を使用した家具。
【請求項３】
家具として、引出、開き戸、引戸を持つ、食器戸棚、ワゴン、クロゼット、テーブルの家具が備える扉や引出しの前板、チェスト、箪笥、食器棚、洋服箪笥、テレビボード、本棚の前板、側板であって、表面と側面と天板を合わせた面積で２０〜１００％に装飾性突板表装材を張り付けた家具であることを特徴とする請求項１、又は請求項２に記載の節入り突板張り化粧板を使用した家具。
【請求項４】
板面に節の大きさ１０〜７０ｍｍを１個〜７個を有する節形状体を持つ０．１〜０．７ｍｍの厚さの突板は、平滑な平面を持つ５〜３０ｍｍ厚さのＭＤＦ板材に張った後に、突板内で節形状の原型を保持していないものについては、節形状体を木屑と接着剤である修復材によって原型状に修復して、自然の節入り原型板材になるようにして使用されていることを特徴とする請求項１〜請求項３のいずれかに記載の節入り突板張り化粧板を使用した家具。
【考案の詳細な説明】
【技術分野】
【０００１】本考案は、ダイニングボード、およびリビングボードの家具の表面、側面等の、表面仕上げする対象面に節入り突板化粧板を張り付けて、家具の好むところに、家具全体の様式、模様を自由に選択できるようになっている節入り突板化粧板を使用した家具に関するものである。
【背景技術】
【０００２】家具での色彩選択において、細長い平板状の化粧板を用いた内装方法に係る技術は、表側の面の一部に粘着剤を塗布してなる粘着板を、下地の柱部材の表面に釘により打ち付けることにより各柱部材にそれぞれ取り付け、各粘着板の表側の面における粘着剤を塗布していない部分に接着剤を塗布したのち、複数枚の化粧板を各化粧板の突合せ部分が粘着板の表側の表面に位置するようにして連続的に固着するものである方法が提案されている（特許文献１参照）。【０００３】また住宅の壁の被装飾面に接着により取り付けて被装飾面を化粧する化粧材の施工技術は、互いに隣接配置される２枚の化粧材を、化粧材どうしの継ぎ目部分に、あらかじめ化粧材の裏側から継ぎ目部分を覆うように両面テープを貼り付けておき、さらに、化粧材の裏側に接着剤を塗布してから被装飾面に貼り付けるものである（特許文献２参照）。【０００４】キッチンパネルのレイアウト全体を所望のカラーパターンにデザインすることのできるキッチンパネル色コーディネートシステムを提供するために、ポインタをフロアユニットにおける一つの分割パネル区分に近づけて、ポインタと重なった分割パネル区分が分割区分枠で囲まれる。ユーザーはその場所でマウスをクリックし分割パネル区分を指定し、次にカラーサンプルから自分の好みに合った一つの色を選ぶ。色を決めると、ポインタがその色と重なった場所においてクリックすると、先ほど選択しておいた分割パネル区分の色が選んだ色へと変わるような操作を繰り返すことで、レイアウトを自分の好みに合ったデザインへと変更することが可能となる方法が提案されている（特許文献３参照）。【０００５】仮想商店街を立ち上げて、訪問者がパーソナルブランドに取り組みたくなるような商品展示をして、商品そのものの分かり易い立体的展示及びその製作手順の解説をし、さらに、デザイン、材料、加工ノウハウを提供し、顧客が創作に取り組む場合の色々な支援グループのネットワークを形成し、オリジナルな家具や皮革製品、日用品の創作の手助けができる物とサービスのサプライ・チェイン・マネジメントシステムを完成させる方法を提案されている（特許文献４参照）。【０００６】ダイニングボード、およびリビングボードの家具で自然感を持たせて、褐色から黒褐色で趣を強調して色彩において自然木を使用しているような感じをもたらせる突板を使用した家具に与えて、世になかにこの模様が一つしかない板面であることを自由に選択できるようになっている家具選択が可能になっているものは存在してない。
【先行技術文献】
【特許文献】
【０００７】
【特許文献１】特開平５−１４８９７４号公報
【特許文献２】特開２００５−２２０５２９号公報
【特許文献３】特開２０１１−２４８５５４号公報
【特許文献４】特開２００７−２６２８０号公報
【考案の概要】
【考案が解決しようとする課題】
【０００８】顧客が家具を購入する場合には，顧客は家具の表面、側面の板材模様を種々変えた、オンリーワンの商品を選択したいことがある。家具を部屋内に設置する環境（具体的には自分の家の居間等の部屋）に実際に家具全体の意匠とあわせて、その場に配置する模様若干変更したいこともある。部屋の環境、設置にマッチした家具を置いて、部屋全体の雰囲気を一新して、しかも家具として独創性ものが望まれている。そのために家具の前板の模様を選択するのが一般的である。しかし好みのデザインにすることによって，上記環境と調和のとれた家具を購入することを期待されている。節を有する突板を貼った木製材料を前板に使用した家具を製作することを行った。【０００９】そのため，顧客自身の好みのダイニングボード、およびリビングボードの家具を状況によって模様替えした部屋にしても，顧客自身の満足感がえられず，家具の表面材の模様から、結果的に上記部屋と自身の調和のとれない家具を設置せざる得ない状況となってしまう場合もある。ダイニングボード、およびリビングボードの家具を模様、様式で趣のある節つき自然観のある突板を使用した家具を提供することは、一般の顧客にとっては室内の調和と気分によって選択できるものである。【００１０】そこで，本考案は上記事情に鑑みてなされたものであり，その目的とするところは，ダイニングボード、およびリビングボードの家具を購入して部屋に設置する状況で、模様、様式で趣のある節つき自然観のある突板を使用した家具を提供することである。オンリーワンの家具において安価に、自由度を高めたダ節有りの突板を使用した、安価で自然感をもたらされる家具を提供することを目的とする。
【課題を解決するための手段】
【００１１】節を有する突板を貼った木製材料を前板に使用した家具の表面板、及び天板、及び側板に、０．１〜０．７ｍｍの厚さで、板面に節の大きさ１０〜７０ｍｍを、１個〜７個を有する突板を張り付けている化粧板を使用している節入り突板張り化粧板を使用した家具である。【００１２】節入り突板を有する装飾性表装材である化粧板は、突板として濃厚色、又は自然素材の木質の質感をもつ模様で、褐色から黒褐色を呈するウォールナット、チーク、パイン、オークから選ばれた突板材料で、長さ５００〜２０００ｍｍの表面板を使用する突板材料を一連の連続的なものになって、表装材突板の表面積当たり１０〜７０ｍｍの大きさの節形状体を１〜２個／１０００ｃｍ２持っている。【００１３】家具として、引出、開戸、引戸を持つ、食器戸棚、ワゴン、クロゼット、テーブルの家具が備える扉や引出しの前板、チェスト、箪笥、食器棚、洋服箪笥、テレビボード、本棚の前板、側板であって、表面と側面と天板を合わせた面積で２０〜１００％に装飾性突板表装材を張り付けた家具である。【００１４】板面に節の大きさ１０〜７０ｍｍを１個〜７個を有する節形状体を持つ０．１〜０．７ｍｍの厚さの突板は、平滑な平面を持つ５〜３０ｍｍ厚さのＭＤＦ板材に張った後に、突板内で節形状の原型を保持していないものについては、節形状体をパテと接着剤と木屑とによる修復材によって原型状に修復して、自然の節入り原型板材になるようにして使用されている。
【考案の効果】
【００１５】住宅のダイニングボード、およびリビングボードにおいて、趣のある節つき自然観のある突板を使用した家具を購入して、部屋の模様、様式を趣を持たせて、自然感を多々酔わせる雰囲気にすることができた。またオンリーワンの独創的な家具において安価に、自由度を高めた節有りの突板を使用したものであって、安価で自然感をもたらされる家具によって自然観を持つ部屋の状態にすることができた。【００１６】褐色から黒褐色で趣を強調して色彩において自然木を使用しているような感じをもたらせる突板を使用した家具に与えて、世になかにこの模様が一つしかない板面であることを自由に選択できるようになっている家具選択が可能になった。
【図面の簡単な説明】
【００１７】
【図１】節入り突板化粧板を使用した家具の斜視図である。
【図２】節入り突板化粧板の図である。
【図３】節入り突板化粧板の修正を行う状態の図である。Ａ：修正前  Ｂ：修正後
【図４】節入り突板化粧板を使用した家具配置した室内平面図である。
【考案を実施するための形態】
【００１８】以下、本考案の実施形態について、図面を参照して説明する。図１は節入り突板化粧板を使用した家具の斜視図で、図２は、節入り突板化粧板の図で、図３は節入り突板化粧板を修正を行う状態の図で、図４は、節入り突板化粧板を使用した家具配置した室内平面図である。
【実施例１】
【００１９】家具の表面板、及び天板、及び側板に、０．６ｍｍの厚さで、板面に節の大きさ１０〜７０ｍｍの範囲のもの３個を有する突板を張り付けている化粧板を使用した節入り突板張り化粧板を使用したテレビボード家具を製造した。【００２０】節入り突板を有する装飾性表装材である化粧板は、突板として濃厚色で自然素材の木質の質感をもつ模様で、黒褐色を呈するウォールナットの突板材料で、長さ１５００ｍｍの表面板を使用する突板材料を一連の連続的なものになって、表装材突板の表面積当たり１０〜７０ｍｍの大きさの節形状体を２個／１０００ｃｍ２持った。節はパテと接着剤と木屑とによる修復材によって原型状に修復して使用した。【００２１】家具として、引出、開戸、引戸を持つテレビボードの前板、側板であって、表面と側面と天板を合わせた面積で８０％に装飾性突板表装材を張り付けた家具であった。【００２２】板面に節の大きさ１０〜７０ｍｍの範囲の３個を有する節形状体を持つ０．６ｍｍの厚さの突板は、平滑な平面を持つ２５ｍｍ厚さのＭＤＦ板材に張った後に、突板内で節形状の原型を保持していないものについては、節形状体を修復材によって原型状に修復して、自然の節入り原型板材になるようにした。これによって、テレビボードは、節を持った黒褐色で自然素材の木質の質感をもつ模様で、趣を高めたテレビボードになった。またオンリーワンの商品として表現できるようになった。
【実施例２】
【００２３】家具の表面板、及び天板、及び側板に、０．１ｍｍの厚さで、板面に節の大きさ１０〜７０ｍｍの範囲の５個を有する突板を張り付けている化粧板を使用した節入り突板張り化粧板を使用した食器戸棚家具を製造した。【００２４】節入り突板を有する装飾性表装材である化粧板は、突板として濃厚色、又は自然素材の木質の質感をもつ模様で、褐色から黒褐色を呈するオークから選ばれた突板材料で、長さ１５００ｍｍの表面板を使用する突板材料を一連の連続的なものになって、表装材突板の表面積当たり１０〜７０ｍｍの大きさの節形状体を持った。節はパテと接着剤と木屑とによる修復材によって原型状に修復して使用した。【００２５】家具として、引出、開戸、引戸を持つ、食器戸棚の前板、側板であって、表面と側面と天板を合わせた面積で５０％に装飾性突板表装材を張り付けた家具であった。【００２６】板面に節の大きさ１０〜７０ｍｍの範囲のものを５個有する節形状体を持つ０．５ｍｍの厚さの突板は、平滑な平面を持つ２０ｍｍ厚さのＭＤＦ板材に張った後に、突板内で節形状の原型を保持していないものについては、節形状体を修復材によって原型状に修復して、自然の節入り原型板材になるようにした。
今までに見られない節入りの自然素材の木質の質感をもつ模様で、趣を高めた食器棚になった。
【実施例３】
【００２７】家具の表面板、及び天板、及び側板に、０．６ｍｍの厚さで、板面に節の大きさ１０〜７０ｍｍの範囲を、５個を有する突板を張り付けている化粧板を使用した節入り突板張り化粧板を使用したクロゼット家具を製造した。【００２８】節入り突板を有する装飾性表装材である化粧板は、突板として自然素材の木質の質感をもつ模様で、褐色から黒褐色を呈するチークの突板材料で、長さ２０００ｍｍの表面板を使用する突板材料を一連の連続的なものになって、表装材突板の表面積当たり１０〜７０ｍｍの大きさの節形状体５個を持った。節はパテと接着剤と木屑とによる修復材によって原型状に修復して使用した。【００２９】家具として、引出、開戸、引戸を持つ、クロゼットの大型家具の前板、側板であって、表面を合わせた面積で１００％に装飾性突板表装材を張り付けた家具であった。【００３０】板面に節の大きさ１０〜７０ｍｍの範囲のもの５個を有する節形状体を持つ０．６ｍｍの厚さの突板は、平滑な平面を持つ５ｍｍ厚さのＭＤＦ板材を表面にしたフラッシュパネルを使用した、突板内で節形状の原型を保持していないものについては、大きい節のもの節形状体を修復材によって原型状に修復して、自然の節入り原型板材になるようにした。
今までに見られない節入りの自然素材の木質の質感をもつ模様で、趣を高めたクロゼットになった。
【符号の説明】
【００３１】１、家具
２、突板
３、表面
４．天面
５、側面
６．化粧板
７．節、
８．節入り突板材
９、化粧材
１０、テレビボード
１１．ヘラ
１２．節の欠陥部
１３．節の完成部
１４．木屑
１５．ボンド
１６．木工用パテ
【図１】
0003211279.tif 000003
【図２】
0003211279.tif 000004
【図３】
0003211279.tif 000005
【図４】
0003211279.tif 000006
【手続補正書】
【提出日】平成29年3月21日(2017.3.21)
【手続補正１】
【補正対象書類名】実用新案登録請求の範囲
【補正対象項目名】全文
【補正方法】変更
【補正の内容】
【実用新案登録請求の範囲】
【請求項１】
節入り突板を貼った木製材料を使用した家具であって、表面板、及び天板、及び側板に、０．１〜０．７ｍｍの厚さで、板面に節の大きさ１０〜７０ｍｍを、１個〜７個を有する突板を張り付けている化粧板を使用していることを特徴とする節入り突板張り化粧板を使用した家具。
【請求項２】
節入り突板を有する装飾性表装材である化粧板は、突板として濃厚色、又は自然素材の木質の質感をもつ模様で、褐色から黒褐色を呈するウォールナット、チーク、ローズウッド、カリン、チェリー、セドロマッチョ、ケヤキ、パイン、オークから選ばれた長さ５００〜２０００ｍｍの突板材料であって、家具に使用する場合には前記突板材料を一連の連続面の表面板として張り付けるようにして、前記突板材料を有する装飾性表装材には１０〜７０ｍｍの大きさの節形状体を、表面積当り１〜２個／１０００ｃｍ２で所持されていることを特徴とする請求項１に記載の節入り突板張り化粧板を使用した家具。
【請求項３】
家具として、引出、開き戸、引戸を持つ、食器戸棚、ワゴン、クロゼット、テーブルの家具が備える扉や引出しの前板、チェスト、箪笥、食器棚、洋服箪笥、テレビボード、本棚の前板、側板であって、表面と側面と天板を合わせた全面積の２０〜１００％に、節入り突板材料である装飾性表装材を張り付けた家具であることを特徴とする請求項１、又は請求項２に記載の節入り突板張り化粧板を使用した家具。
【請求項４】
板面に節の大きさ１０〜７０ｍｍを１個〜７個を有する節形状体を持つ０．１〜０．７ｍｍの厚さの突板は、平滑な平面を持つ５〜３０ｍｍ厚さのＭＤＦ板材に張った後に、突板内で節形状の原型を保持していないものについては、節形状体を木屑と接着剤である修復材によって原型状に修復して、自然の節入り原型板材になるようにして使用されていることを特徴とする請求項１〜請求項３のいずれかに記載の節入り突板張り化粧板を使用した家具。